(57)【特許請求の範囲】
【請求項１】
吸込口と吹出口とを有する処理空気経路と、
前記吸込口から前記処理空気経路内に処理空気を取り入れて前記吹出口から吐出する第１ファンと、
閉経路からなる再生空気経路と、
前記再生空気経路内の再生空気を循環させる第２ファンと、
モータケースと、前記モータケースの一端から突出する第１部分及び前記モータケースの他端から突出する第２部分を有する回転軸とを有し、前記回転軸の第１及び第２部分に前記第１及び第２ファンをそれぞれ連結した両軸モータとを備え、
前記第１ファンの第１ファンケースは、前記第２ファンの第２ファンケースと対向する面に前記第１ファンに向けて窪む第１取付凹部を有し、
前記第２ファンの前記第２ファンケースは、前記第１ファンケースと対向する面に前記第２ファンに向けて窪む第２取付凹部を有し、
前記第１及び第２取付凹部により形成された空間に前記両軸モータを配置し、係着手段による前記第１及び第２ファンケースの係着によって、前記第１及び第２ファンケース間に前記両軸モータが挟み込んで固定されており、
前記第１及び第２ファンは、前記第１及び第２ファンケースの前記第１及び第２取付凹部を配置する空隙部を有する、除湿機。
【請求項２】
前記第１及び第２ファンケースは、前記モータケースにおける前記回転軸の軸線に沿った方向の両端を嵌合する第１及び第２嵌合孔を有する、請求項１に記載の除湿機。
【請求項３】
前記第１及び第２ファンケースと前記モータケースとの間に緩衝部材を備え、
前記緩衝部材は、前記第１及び第２ファンケースの前記第１及び第２嵌合孔内に嵌合される嵌合部を備える、請求項２に記載の除湿機。
【請求項４】
前記第１及び第２ファンは、前記回転軸の軸線に沿った方向から見て円形状の基板部と、前記基板部の外周から前記回転軸の軸線に沿って突出した多数の羽根とを有するシロッコファンであり、
前記空隙部は、前記羽根の突出方向先端側へ膨出するように前記基板部に設けた膨出部内の空間からなる、請求項１から３のいずれか１項に記載の除湿機。
【発明の詳細な説明】
【技術分野】
【０００１】
本発明は、除湿機に関する。除湿機には、室内の空気を除湿対象とするものの他、衣類を除湿対象とするものや、これらの両方を除湿対象とするものが含まれる。また、除湿機には、除湿対象の室内や衣類を乾燥させる乾燥機が含まれる。
【背景技術】
【０００２】
除湿機は、外部の空気（処理空気）を吸込口から処理空気経路内に取り入れて吹出口から吐出する処理空気ファンと、閉経路である再生空気経路内の空気（再生空気）を循環させる再生空気ファンとを備える。処理空気ファンの駆動により取り入れた処理空気は、除湿ロータによって水分が吸着され、除湿した乾燥空気として吹出口から吐出される。再生空気ファンの駆動により循環される再生空気は、ヒータで加熱された後、除湿ロータを通過されることにより、除湿ロータが吸着した水分を回収する。再生空気が回収した水分は、熱交換器により冷却され、凝縮水として貯水タンクに貯留される。
【０００３】
特許文献１には、１個のモータで、３個のシロッコファンを回転するようにした除湿機が開示されている。しかし、特許文献１の除湿機は、モータの回転軸の軸線に沿った厚さ方向の薄型化について、特段の配慮はされていない。
【先行技術文献】
【特許文献】
【０００４】
【特許文献１】国際公開第２００９／８７７７９号公報
【発明の概要】
【発明が解決しようとする課題】
【０００５】
本発明は、１個のモータで２個のファンを回転させる除湿機の厚さ方向の薄型化を図ることを課題とする。
【課題を解決するための手段】
【０００６】
本発明は、吸込口と吹出口とを有する処理空気経路と、前記吸込口から前記処理空気経路内に処理空気を取り入れて前記吹出口から吐出する第１ファンと、閉経路からなる再生空気経路と、前記再生空気経路内の再生空気を循環させる第２ファンと、モータケースと、前記モータケースの一端から突出する第１部分及び前記モータケースの他端から突出する第２部分を有する回転軸とを有し、前記回転軸の第１及び第２部分に前記第１及び第２ファンをそれぞれ連結した両軸モータとを備え、前記第１ファンの第１ファンケースは、前記第２ファンの第２ファンケースと対向する面に前記第１ファンを配置した内部に向けて窪む第１取付凹部を有するとともに、前記第２ファンの前記第２ファンケースは、前記第１ファンケースと対向する面に前記第２ファンを配置した内部に向けて窪む第２取付凹部を有し、前記第１及び第２取付凹部により形成された空間に前記両軸モータを配置している除湿機を提供する。
【０００７】
前記除湿機は、第１及び第２ファンケースに設けた第１及び第２取付凹部により形成される空間に両軸モータを配置しているため、回転軸の軸線に沿った厚さ方向の薄型化を図ることができる。また、回転軸の第１及び第２部分の突出量を短く設定できるため、異音や振動の要因になる第１及び第２ファンの振れ回りを防止できる。なお、第１及び第２取付凹部により形成された空間に両軸モータを配置しているとは、両軸モータのモータケース全てが空間に配置されている構成、及びモータケースの一部だけが空間に配置されている構成の両方を含む。
【０００８】
前記第１及び第２ファンケースを係着手段により互いに係着し、前記第１及び第２ファンケース間に前記両軸モータを挟み込んで固定している。このようにすれば、両軸モータをファンケーシングにネジ止めして固定する必要がないため、組立作業性を向上できる。詳しくは、前記第１及び第２ファンケースは、前記モータケースにおける前記回転軸の軸線に沿った方向の両端を嵌合する第１及び第２嵌合孔を有する。このようにすれば、モータケーシングを確実に位置決め保持できる。
【０００９】
前記第１及び第２ファンケースと前記モータケースとの間に緩衝部材を配置している。詳しくは、前記緩衝部材は、前記第１及び第２ファンケースの前記第１及び第２嵌合孔内に嵌合される嵌合部を備える。このようにすれば、両軸モータを駆動することによる振動を抑制できる。
【００１０】
前記第１及び第２ファンは、前記第１及び第２ファンケースの前記第１及び第２取付凹部を配置する空隙部を有する。詳しくは、前記第１及び第２ファンは、前記回転軸の軸線に沿った方向から見て円形状の基板部と、前記基板部の外周から前記回転軸の軸線に沿って突出した多数の羽根とを有するシロッコファンであり、前記空隙部は、前記羽根の突出方向先端側へ膨出するように前記基板部に設けた膨出部内の空間からなる。このようにすれば、第１及び第２ファンによる送風量を減少することなく、確実に薄型化を図ることができる。
【発明の効果】
【００１１】
本発明の除湿機は、第１及び第２ファンを１個の両軸モータで回転させるため、部品点数を削減でき、装置の小型化を図ることができる。また、第１及び第２ファンケースに形成した第１及び第２取付凹部による空間に両軸モータを配置しているため、両軸モータの回転軸の軸線に沿った厚さ方向の薄型化を図ることができる。
【図面の簡単な説明】
【００１２】
【図１】本発明の実施形態の除湿機の斜視図。
【図２】除湿機の分解斜視図。
【図３Ａ】図２の本体を正面側から見た斜視図。
【図３Ｂ】図２の本体を背面側から見た斜視図。
【図４】除湿機の概念的な断面図。
【図５】除湿機のシステム図。
【図６Ａ】図２の本体の分解斜視図。
【図６Ｂ】図６Ａを逆側から見た分解斜視図。
【図７】ヒータと熱交換器を配置した部分を示す断面図。
【図８】第１及び第２ファンケースと両軸モータの取付状態を示す断面図。
【図９】本体と第１及び第２ファンケースの分解斜視図。
【図１０Ａ】第１及び第２ファン、第１及び第２ファンケース、並びに両軸モータを示す分解斜視図。
【図１０Ｂ】図１０Ａを逆側から見た分解斜視図。
【発明を実施するための形態】
【００１３】
以下、本発明の実施の形態を図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００１４】
図１から図３Ｂは本発明の実施形態に係る送風装置の一例である除湿機１を示す。図４は除湿機１の概念的な断面図である。図５は除湿機１のシステム図である。
【００１５】
（全体構成）
図１及び図２を参照すると、除湿機１は、円柱形状の外観を有し、本体１００と、本体１００の上部に配置されたヘッド部６００と、本体１００の下部に配置された貯水部７００とを備える。除湿機１は、本体１００の吸込口１１２から吸引した外部（例えば除湿対象の室内）の空気（処理空気）を、本体１００内で除湿ロータ２００による水分吸着により除湿（処理）する。除湿された処理空気は、ヘッド部６００の吹出口６４２から外部へ吐出される。除湿ロータ２００に吸着された水分は、本体１００内の閉経路を循環する空気（再生空気）により回収され、貯水部７００の貯水タンク７２０内に貯留される。
【００１６】
ヘッド部６００は、図１において本体１００の軸線Ｌを中心として回転可能な送風部６４０を備える。送風部６４０は、図１に示す基準位置を起点として、規制部材６８０回りを略±１８０度の範囲で、図１において周方向Ａに往復（首振り）回転できる。送風部６４０の吹出口６４２には可動式のルーバー６６０が配置されている。ルーバー６６０は、図１において上下方向Ｂの設定範囲で揺動できる。
【００１７】
図４及び図５に示すように、除湿機１は、破線で示す処理空気が流れる経路（処理空気経路）２と、実線で示す再生空気が流れる経路（再生空気経路）３とを備える。除湿ロータ２００は、処理空気経路２及び再生空気経路３に跨がって配置されている。除湿機１は、除湿ロータ２００の一面側（吸込口１１２側）に、再生空気及び除湿ロータ２００を加熱するヒータ（加熱手段）２５０を備える。また、除湿機１は、除湿ロータ２００の一面側に配置された主熱交換器（第１熱交換器）３００と、除湿ロータ２００の他面側に配置された副熱交換器（第２熱交換器）３５０とを備える。さらに、除湿機１は、処理空気を吸引及び吐出するための処理空気ファン（第１送風手段）４００と、再生空気を循環させるための再生空気ファン（第２送風手段）４５０とを備える。
【００１８】
図１から図３Ｂに示すように、本体１００は、除湿ロータ２００、ヒータ２５０、主熱交換器３００、副熱交換器３５０、処理空気ファン４００、及び再生空気ファン４５０を含む部品を配置するベース１０１を備える。ベース１０１は、下端に位置する平面視円形状の基部１０２と、基部１０２から矩形状をなすように立設した立壁部１０３とを備える。ベース１０１の外周部は、半円筒状である樹脂製の外装パネル１１０Ａ，１１０Ｂにより覆われている。外装パネル１１０Ａ，１１０Ｂは、内面側に金属製の補強パネル１１１Ａ，１１１Ｂを備える。一方の外装パネル１１０Ａには、室内の空気を取り入れるための吸込口１１２が設けられている。吸込口１１２は、上下方向に延びる多数条のスリットからなる。なお、吸込口１１２の内面側には、図示しないフィルタが外装パネル１１０Ａに沿って着脱可能に配置されている。
【００１９】
（処理空気経路）
図４及び図５に示すように、処理空気経路２は、吸込口１１２から吹出口６４２までを接続している。処理空気経路２には、吸込口１１２から吹出口６４２に向けて処理空気が流れる方向に沿って順に、主熱交換器３００、除湿ロータ２００、副熱交換器３５０、及び処理空気ファン４００が配置されている。
【００２０】
図５に最も明瞭に示すように、処理空気経路２は、第１から第５の部分２ａ〜２ｅを備える。第１部分２ａは、吸込口１１２から主熱交換器３００までを接続している。図４に示すように、第１部分２ａは、吸込口１１２と主熱交換器３００との間に形成された空間からなる。第２部分２ｂは、主熱交換器３００から除湿ロータ２００までを接続している。図４に示すように、第２部分２ｂは、主熱交換器３００と除湿ロータ２００との間に形成された空間からなる。第３部分２ｃは、除湿ロータ２００から副熱交換器３５０までを接続している。図４に示すように、第３部分２ｃは、除湿ロータ２００と副熱交換器３５０との間に形成された空間からなる。第４部分２ｄは、副熱交換器３５０から処理空気ファン４００までを接続している。図４に示すように、第４部分２ｄは、副熱交換器３５０と処理空気ファン４００の吸込口１１２との間に形成された空間からなる。第５部分２ｅは、処理空気ファン４００の吐出口から吹出口６４２までを接続している。図４に示すように、第５部分２ｅは、処理空気ファン４００のファンケース４１０の送出部４１１、及びヘッド部６００の送風案内部６４１を備える。
【００２１】
処理空気ファン４００が駆動されると、吸込口１１２から処理空気が吸い込まれる。処理空気は、主熱交換器３００で昇温された後、除湿ロータ２００を通過する際に除湿される。ついで、副熱交換器３５０で更に昇温された後、処理空気ファン４００のファンケース４１０内に流入する。その後、ファンケース４１０の送出部４１１から上向きに送出され、ヘッド部６００の吹出口６４２から室内へ吐出される。
【００２２】
（再生空気経路）
図４及び図５に示すように、再生空気経路３には、ヒータ２５０を起点として再生空気が流れる方向に従って順に、除湿ロータ２００、副熱交換器３５０、主熱交換器３００、及び再生空気ファン４５０が配置されている。
【００２３】
図５に最も明瞭に示すように、再生空気経路３は、第１から第５の部分３ａ〜３ｅを備える。第１部分３ａは、再生空気ファン４５０の吐出口からヒータ２５０までを接続している。図３Ａ，Ｂ及び図４に示すように、第１部分３ａは、再生空気ファン４５０のファンケース４６０とヒータ２５０のヒータケース２６０の間のダクト部４６２を備える。第２部分３ｂは、ヒータ２５０から除湿ロータ２００までを接続している。図４に示すように、第２部分３ｂは、ヒータケース２６０中のヒータ２５０と除湿ロータ２００との間に形成された空間（隙間）からなる。第３部分３ｃは、除湿ロータ２００から副熱交換器３５０までを接続している。図４に示すように、第３部分３ｃは、副熱交換器３５０の上部ヘッダ３７０の内部空間からなる。第４部分３ｄは、副熱交換器３５０から主熱交換器３００までを接続している。図３Ａ，Ｂ及び図４に示すように、第４部分３ｄは、副熱交換器３５０の下部ヘッダ３８０、ダクト部材５００、及び主熱交換器３００の上部ヘッダ３２０を備える。第５部分３ｅは、主熱交換器３００から再生空気ファン４５０までを接続している。図３Ｂ及び図４に示すように、第５部分３ｅは、主熱交換器３００の下部ヘッダ３３０と再生空気ファン４５０のファンケース４６０の間のダクト部４６１を備える。
【００２４】
再生空気ファン４５０が駆動されると、再生空気ファン４５０から送出された再生空気は、ヒータ２５０で加熱される。ついで、また、除湿ロータ２００もヒータ２５０で加熱されることにより、吸着した水分を放出する。再生空気は、除湿ロータ２００を通過する際に、除湿ロータ２００が吸着した水分を回収（吸着）した後、副熱交換器３５０で冷却される。ついで、ダクト部材５００を通って主熱交換器３００に流入し、再び冷却される。その後、再生空気は、再生空気ファン４５０に戻り、再びヒータ２５０へ送出される。なお、熱交換器３００，３５０で再生空気が冷却されることにより凝縮した水は、貯水タンク７２０に貯留される。
【００２５】
（本体内部の詳細）
図６Ａ，Ｂに示すように、ベース１０１の立壁部１０３には、円形状のロータ配置部１０４が設けられている。ベース１０１は、ロータ配置部１０４の外周部に第１から第３の通気部１０５ａ〜１０５ｃを備える。第１通気部１０５ａは、図６Ｂにおいて立壁部１０３の左側上部に形成されている。第１通気部１０５ａには、ヒータ２５０のヒータケース２６０が一端側に配置され、再生空気ファン４５０のファンケース４６０の第２ダクト部４６２が他端側に接続されている。第２通気部１０５ｂは、図６Ａにおいて立壁部１０３の左側上部に形成されている。第２通気部１０５ｂには、副熱交換器３５０の下部ヘッダ３８０に接続されたダクト部材５００が一端側に接続され、主熱交換器３００の上部ヘッダ３２０のダクト部３２１が他端側に接続されている。第３通気部１０５ｃは、図６Ｂにおいて立壁部１０３の右側下部に形成されている。第３通気部１０５ｃには、主熱交換器３００の下部ヘッダ３３０のダクト部３３１が一端側に接続され、再生空気ファン４５０のファンケース４６０のダクト部４６１が他端側に接続されている。
【００２６】
図６Ａから図７に示すように、除湿ロータ２００は、ベース１０１のロータ配置部１０４に回転可能に配置されている。除湿ロータ２００は、ゼオライト又はシリカゲルを結合させたメッシュ状のセラミックハニカムからなる吸湿材２０１を備える。吸湿材２０１は、樹脂製の枠部材２０２により保持されている。図６Ｂに最も明瞭に示すように、枠部材２０２は、吸湿材２０１の中心に位置する軸支部２０３と、吸湿材２０１の外周に位置する外枠部２０４とを備える。軸支部２０３と外枠部２０４とは、吸湿材２０１の一面側（外装パネル１１０Ｂ側）で、放射状に延びる線条枠２０５により連結されている。
【００２７】
図６Ａ及び図７に示すように、ヒータ２５０は、ヒータケース２６０の内部に配置され、ベース１０１に対して、第１通気部１０５ａを含む除湿ロータ２００の上側部分の一部を覆い隠すように固定されている。ヒータ２５０は、ヒータケース２６０の内部に保持部材２７０を介して配置されている。ヒータケース２６０の内周部と保持部材２７０の外周部との間には、第１通気部１０５ａに連通する導入部２６２が形成されている。この導入部２６２を通して閉塞壁２６１とヒータ２５０（保持部材２７０）との間の空隙部２６３に再生空気が流入する。流入した再生空気は、閉塞壁２６１に衝突して逆向きに旋回し、ヒータ２５０を通過して加熱された後、除湿ロータ２００に向けて流れる。また、ヒータ２５０は、再生空気の送風方向下流側に位置する除湿ロータ２００を加熱する。
【００２８】
図４及び図６Ａ，Ｂに示すように、主熱交換器３００は、再生空気経路３の一部を構成し、処理空気経路２中において処理空気が流れる方向の除湿ロータ２００の上流側（吸込口１１２側）に配置されている。主熱交換器３００は樹脂製であり、多数のパイプ３１０と、上部ヘッダ３２０と、下部ヘッダ３３０とを備える。各パイプ３１０は、上部ヘッダ３２０と下部ヘッダ３３０とを流体的に接続する。各パイプ３１０は、内部を再生空気が通過し、隣接するパイプ３１０，３１０間である外部を処理空気が通過する。このパイプ３１０，３１０が延びる上下間の領域が、処理空気と再生空気の熱交換部である。上部ヘッダ３２０は、各パイプ３１０の上端に接続されている。上部ヘッダ３２０は、第２通気部１０５ｂに接続されるダクト部３２１を備える。下部ヘッダ３３０は、各パイプ３１０の下端に接続されている。下部ヘッダ３３０は、第３通気部１０５ｃに接続されるダクト部３３１を備える。
【００２９】
図４及び図６Ａ，Ｂに示すように、副熱交換器３５０は、再生空気経路３の一部を構成し、処理空気経路２中において処理空気が流れる方向の除湿ロータ２００の下流側（吹出口６４２側）に配置されている。副熱交換器３５０は樹脂製であり、多数のパイプ３６０と、上部ヘッダ３７０と、下部ヘッダ３８０とを備える。各パイプ３６０は、上部ヘッダ３７０と下部ヘッダ３８０とを流体的に接続する。各パイプ３６０は、内部を再生空気が通過し、隣接するパイプ３６０，３６０間である外部を処理空気が通過する。このパイプ３６０，３６０が延びる上下間の領域が、処理空気と再生空気の熱交換部である。上部ヘッダ３７０は、各パイプ３６０の上端に接続されている。図６Ａに最も明瞭に示すように、上部ヘッダ３７０は、ヒータ２５０で加熱された再生空気が除湿ロータ２００を通して流入される流入口３７１を備える。図６Ｂに示すように、下部ヘッダ３８０は、各パイプ３６０の下端に接続されている。下部ヘッダ３８０は、除湿ロータ２００と反対側（外装パネル１１０Ｂ側）で開口するダクト部３８１を備える。
【００３０】
図４及び図８に示すように、処理空気ファン（第１ファン）４００は、処理空気が流れる方向において、副熱交換器３５０の下流側（外装パネル１１０Ｂ側）に配置されている。処理空気ファン４００は、ファンケース（第２ファンケース）４１０の内部に回転可能に配置されている。ファンケース４１０には、出口である送出部４１１が本体１００の上端の概ね中央に位置するように設けられている。
【００３１】
図４及び図８に示すように、再生空気ファン（第２ファン）４５０は、処理空気ファン４００の外装パネル１１０Ｂ側に配置されている。再生空気ファン４５０は、ファンケース（第２ファンケース）４６０の内部に回転可能に配置されている。図９に示すように、ファンケース４６０には、再生空気が流される一対のダクト部４６１，４６２が設けられている。第１ダクト部４６１は、ベース１０１の第３通気部１０５ｃに接続され、ファンケース４６０と主熱交換器３００とを連通させる。第２ダクト部４６２は、ベース１０１の第１通気部１０５ａに接続され、ファンケース４６０とヒータケース２６０とを連通させる。
【００３２】
図８から図１０Ｂに示すように、処理空気ファン４００と再生空気ファン４５０とは、１個の両軸モータ４９０により回転される。両軸モータ４９０は、モータケース４９１の両端から突出する回転軸４９２を備える。両軸モータ４９０は、処理空気ファン４００のファンケース４１０と、再生空気ファン４５０のファンケース４６０との間に配置される。両ファンケース４１０，４６０をネジ止め（係着手段）して固定することにより、ファンケース４１０，４６０間に両軸モータ４９０が挟み込まれて固定されている。図８に最も明瞭に示すように、モータケース４９１の一端から突出した第１部分４９２ａは、処理空気ファン４００のファンケース４１０内に配置され、処理空気ファン４００が連結されている。モータケース４９１の他端から突出した第２部分４９２ｂは、再生空気ファン４５０のファンケース４６０内に配置され、再生空気ファン４５０が連結されている。
【００３３】
図３Ａ，Ｂに示すように、ダクト部材５００は、ファンケース４６０の外装パネル１１０Ｂ側に配置されている。ダクト部材５００は、図３Ａにおいて右下側に位置する一端に、副熱交換器３５０のダクト部３８１に接続された第１接続部５０１を備える。また、ダクト部材５００は、図３Ｂにおいて右上側に位置する他端に、ベース１０１の第２通気部１０５ｂを介して主熱交換器３００の上部ヘッダ３２０に接続された第２接続部５０２を備える。図３Ｂに示すように、ダクト部材５００は、除湿ロータ２００の軸方向から見ると、ファンケース４６０のダクト部４６１，４６２とは逆向きで、ベース１０１の立壁部１０３の対角にかけて延びる。
【００３４】
（処理空気ファンとファンケースの詳細）
図８及び図１０Ａ，Ｂに示すように、処理空気ファン４００は、両軸モータ４９０の回転軸４９２の軸線に沿った方向から空気を吸引し、径方向外向きに空気を送出するシロッコファンが用いられる。シロッコファンは、回転軸４９２の軸線に沿った方向から見て円形状の基板部４０１と、基板部４０１の外周から回転軸４９２の軸線に沿って突出するように設けた多数の羽根４０２とを有する。図８に最も明瞭に示すように、処理空気ファン４００は、基板部４０１が両軸モータ４９０側に位置し、羽根４０２が両軸モータ４９０から軸方向外向きに突出するように、回転軸４９２の第１部分４９２ａに連結されている。基板部４０１は、羽根４０２の突出方向先端側へ膨出する膨出部４０１ａを備える。膨出部４０１ａ内に形成される空間は、ファンケース４１０の取付凹部４３３を内部に配置する空隙部４０３である。
【００３５】
処理空気ファン４００のファンケース４１０は、ケース本体４２０と、ケース本体４２０の再生空気ファン４５０側の開口を塞ぐカバー４３０とを備える。ケース本体４２０の開口をカバー４３０で塞ぐことにより、内部にインボリュート通路が画定され、出口部分に四角筒状の送出部４１１が形成されている。
【００３６】
ケース本体４２０は、軸方向から見てインボリュート曲線状に延びる曲面状の側壁部４２１と、側壁部４２１の一端を塞ぐ平板状の内壁部４２２とを備える。内壁部４２２は、副熱交換器３５０側に位置するように配置されている。また、内壁部４２２には、回転軸４９２の軸方向から見た処理空気ファン４００の羽根４０２の内径と同一直径の流入口４２３が形成されている。副熱交換器３５０を通過した処理空気は、流入口４２３からファンケース４１０内に流入し、送出部４１１からヘッド部６００へ送出され、吹出口６４２から室内へ吐出される。
【００３７】
内壁部４２２には、ベース１０１に固定するためのネジ止め部４２４が設けられている。側壁部４２１には、カバー４３０をネジ止めして固定するためのネジ止め部４２５が設けられている。
【００３８】
カバー４３０は、ケース本体４２０の側壁部４２１の外面に嵌合される側壁部４３１と、側壁部４３１の一端を塞ぐ外壁部４３２とを備える。外壁部４３２は、再生空気ファン４５０のファンケース４６０に対向配置されている。外壁部４３２には、処理空気ファン４００を配置した内部に向けて窪む第１取付凹部４３３が設けられている。第１取付凹部４３３は、両軸モータ４９０の外径より大きい球面状に窪んでいる。第１取付凹部４３３の中心には、両軸モータ４９０のモータケース４９１において、回転軸４９２に沿った方向の端部を嵌合する第１嵌合孔４３４が形成されている。第１嵌合孔４３４の周囲には、ファンケース４１０内に突出する筒部４３４ａが設けられている。この第１嵌合孔４３４を通して回転軸４９２の第１部分４９２ａがファンケース４１０内に配置されている。
【００３９】
側壁部４３１には、ケース本体４２０のネジ止め部４２５にネジ止めして固定するためのネジ止め部４３５が設けられている。図１０Ｂに最も明瞭に示すように、外壁部４３２には、再生空気ファン４５０のファンケース４６０を固定する係着手段として、第１ネジ止め部４３６と第２ネジ止め部４３７とが設けられている。第１ネジ止め部４３６は、第１取付凹部４３３の周囲に位置するとともに、再生空気ファン４５０のファンケース４６０の外周部に位置する。第２ネジ止め部４３７は、第１取付凹部４３３内で第１嵌合孔４３４の周囲に位置するとともに、両軸モータ４９０の外周部に位置する。
【００４０】
（再生空気ファンとファンケースの詳細）
図８及び図１０Ａ，Ｂに示すように、再生空気ファン４５０は、処理空気ファン４００と同様に、両軸モータ４９０の回転軸４９２の軸線に沿った方向から空気を吸引し、径方向外向きに空気を送出するシロッコファンが用いられる。シロッコファンは、回転軸４９２の軸線に沿った方向から見て円形状の基板部４５１と、基板部４５１の外周から回転軸４９２の軸線に沿って突出するように設けた多数の羽根４５２とを有する。図８に最も明瞭に示すように、再生空気ファン４５０は、基板部４５１が両軸モータ４９０側に位置し、羽根４５２が両軸モータ４９０から軸方向外向きに突出するように、回転軸４９２の第２部分４９２ｂに連結されている。基板部４５１は、羽根４５２の突出方向先端側へ膨出する膨出部４５１ａを備える。膨出部４５１ａ内に形成される空間は、ファンケース４６０の取付凹部４８３を内部に配置する空隙部４５３である。
【００４１】
再生空気ファン４５０のファンケース４６０は、ケース本体４７０と、ケース本体４７０の処理空気ファン４００側の開口を塞ぐカバー４８０とを備える。ケース本体４７０の開口をカバー４８０で塞ぐことにより、内部にインボリュート通路が画定される。
【００４２】
ケース本体４７０は、軸方向から見てインボリュート曲線状に延びる曲面状の側壁部４７１と、側壁部４７１の一端を塞ぐ平板状の外壁部４７２を備える。外壁部４７２は、副熱交換器３５０と反対の外装パネル１１０Ｂ側に位置するように配置されている。
【００４３】
また、ケース本体４７０には、主熱交換器３００に接続する第１ダクト部４６１と、ヒータ２５０に接続する第２ダクト部４６２とが設けられている。第１ダクト部４６１は、外壁部４７２から外向きに突出するように設けられ、ファンケース４６０内への入口である開口部４７３が外壁部４７２で開口している。第２ダクト部４６２は、インボリュート通路の出口である側壁部４７１の先端に設けられている。本実施形態の第２ダクト部４６２はブロー成型により別体で設けた樹脂成形品であり、側壁部４７１の先端に配置されている。
【００４４】
側壁部４７１には、ファンケース４１０の第１ネジ止め部４３６に固定するための第１ネジ止め部（係着手段）４７４が設けられている。また、側壁部４７１には、カバー４８０を固定するための第２ネジ止め部４７５が設けられている。
【００４５】
カバー４８０は、ケース本体４７０の側壁部４７１の外面に嵌合される側壁部４８１と、側壁部４８１の一端を塞ぐ内壁部４８２とを備える。内壁部４８２は、処理空気ファン４００のファンケース４１０に対向配置されている。内壁部４８２には、再生空気ファン４５０を配置した内部に向けて窪む第２取付凹部４８３が設けられている。第２取付凹部４８３は、両軸モータ４９０の外径より大きい球面状に窪んでいる。第２取付凹部４８３の中心には、両軸モータ４９０のモータケース４９１において、回転軸４９２に沿った方向の端部を嵌合する第２嵌合孔４８４が形成されている。第２嵌合孔４８４の周囲には、ファンケース４６０内に突出する筒部４８４ａが設けられている。この第２嵌合孔４８４を通して回転軸４９２の第２部分４９２ｂがファンケース４６０内に配置されている。
【００４６】
側壁部４８１には、ケース本体４７０の第２ネジ止め部４７５にネジ止めして固定するためのネジ止め部４８５が設けられている。また、図１０Ａに最も明瞭に示すように、第２取付凹部４８３には、第２嵌合孔４８４の周囲に位置するように、ファンケース４１０の第２ネジ止め部４３７に固定するためのネジ止め部（係着手段）４８６が設けられている。
【００４７】
（両軸モータの取付構造）
図８及び図１０Ａ，Ｂに示すように、両軸モータ４９０のモータケース４９１は、各ファンケース４１０，４６０の取付凹部４３３，４８３により形成された空間４９３に配置されている。両軸モータ４９０には、ファンケース４１０，４６０及びベース１０１に固定するためのブラケット部等の取付部は何も設けられていない。両軸モータ４９０は、取付凹部４３３，４８３間に配置され、ネジ止め部４３７，４８６でネジ止めされることにより、ファンケース４１０，４６０間に挟み込んで固定されている。
【００４８】
両軸モータ４９０には、回転軸４９２を突出させたモータケース４９１の両端に防振ゴム（緩衝部材）４９５が配置されている。防振ゴム４９５は、モータケース４９１において、回転軸４９２の軸線が延びる外端面に被覆されている。防振ゴム４９５は、モータケース４９１とファンケース４１０，４６０との間に挟み込まれた被覆部４９６を備える。また、防振ゴム４９５は、被覆部４９６の中心側に、嵌合孔４３４，４８４内に嵌合された嵌合部４９７を備える。嵌合部４９７は、被覆部４９６から軸線に沿って外方へ突出し、被覆部４９６との間に段差を形成する。このように取り付けたモータケース４９１は、全てがファンケース４１０，４６０間に形成された空間４９３に配置（収容）される。
【００４９】
両軸モータ４９０を組み付ける際には、防振ゴム４９５を配置した両軸モータ４９０の両端に、各ファンケース４１０，４６０のカバー４３０，４８０を配置する。カバー４３０，４８０の各嵌合孔４３４，４８４に嵌合部４９７，４９７を配置し、カバー４３０，４８０同士をネジ止めする。これにより、カバー４３０，４８０間に両軸モータ４９０を挟み込んで固定する。ついで、カバー４３０，４８０から突出した回転軸４９２に、処理空気ファン４００及び再生空気ファン４５０を連結する。その後、ケース本体４２０，４７０を配置し、ケース本体４２０とカバー４３０とをネジ止めにより固定するとともに、ケース本体４７０とカバー４８０とをネジ止めにより固定する。
【００５０】
このように、本実施形態では、２個のファン４００，４５０のファンケース４１０，４６０を互いにネジ止めして係着するだけで、両軸モータ４９０を位置決めして固定することができる。即ち、両軸モータ４９０を専用の留め具等によって固定する必要がないため、組立作業性を向上できる。
【００５１】
図８に示すように、組み立てた処理空気ファン４００及び再生空気ファン４５０は、取付凹部４３３，４８３により形成された空間４９３に両軸モータ４９０が配置されているため、ファンケース４１０，４６０間（外壁部４３２と内壁部４８２との間）の隙間が小さく、回転軸４９２の軸線に沿った厚さ方向の薄型化を図ることができる。しかも、ファン４００，４５０としてシロッコファンを用い、それぞれ取付凹部４３３，４８３に対応する空隙部４０３，４５３を設けているため、送風量を減少することなく、確実に薄型化を図ることができる。
【００５２】
また、ファンケース４１０，４６０に形成した取付凹部４３３，４８３により、モータケース４９１から突出する回転軸４９２の突出量を短く設定できる。しかも、ファン４００，４５０は、基板部４０１，４５１を両軸モータ４９０側に配置するとともに、空隙部４０３，４５３を形成しているため、回転軸４９２の突出量を更に短く設定できる。そのため、異音や振動の要因になるファン４００，４５０の振れ回りを防止できる。
【００５３】
また、両軸モータ４９０のモータケース４９１には防振ゴム４９５が配置され、この防振ゴム４９５はファンケース４１０，４６０の嵌合孔４３４，４８４に嵌合される嵌合部４９７，４９７を備えるため、ファンケース４１０，４６０間に確実に両軸モータ４９０を位置決め保持できる。しかも、両軸モータ４９０を駆動することにより発生する振動を抑制できる。
【００５４】
なお、本発明の除湿機１は、前記実施形態の構成に限定されず、種々の変更が可能である。
【００５５】
例えば、前記実施形態では、両軸モータ４９０にファンケース４１０，４６０に取り付けるための取付部を設けない構成としたが、専用の留め具を係着するための取付部を設けてもよい。この場合、モータケース４９１の端部を嵌合する嵌合孔４３４，４８４の代わりに、回転軸４９２を挿通可能な挿通孔を設けてもよい。
【００５６】
また、前記実施形態では、両軸モータ４９０の両端に緩衝部材として防振ゴム４９５を配置したが、緩衝機能を有する部材であればいずれでも適用可能である。また、嵌合部４９７を設けない構成としてもよい。また、緩衝部材自体を配設しない構成としてもよい。
【００５７】
また、前記実施形態では、ファンケース４１０，４６０間に形成された空間４９３にモータケース４９１全体が収容されるようにしたが、モータケース４６０の一部（外周部）だけが空間４９３に配置され、残りの部分（回転軸４９２回り）は嵌合孔４３４，４８４から軸方向外向きに突出するようにしてもよい。即ち、嵌合孔４３４，４８４を大きく形成し、この嵌合孔４３４，４８４からモータケース４６０が露出するように構成してもよい。
【００５８】
また、前記実施形態では、第１及び第２のファン４００，４５０は、シロッコファンを用いたが、空気を吸引して吐出可能なファンであればいずれでも適用可能である。また、基板部４０１，４５１を両軸モータ４９０側に配置し、基板部４０１，４５１に空隙部４０３，４５３を形成したが、基板部４０１，４５１を両軸モータ４９０の逆側に配置し、基板部４０１，４５１と羽根４０２，４５２との間に形成される空間（空隙部）に、取付凹部４３３，４８３を配置する構成としてもよい。
【００５９】
なお、本発明の除湿機１は、例えば衣類の乾燥を目的とした衣類の水分を除湿対象とする他、室内を乾燥させることを目的とした室内空気を除湿対象とするものや、これらの両方の目的を達成するものが含まれる。言い換えれば、本発明の除湿機１には、除湿対象の衣類や室内を乾燥させる乾燥機が含まれる。
【符号の説明】
【００６０】
１…除湿機
２…処理空気経路
２ａ〜２ｅ…第１から第５の部分
３…再生空気経路
３ａ〜３ｅ…第１から第５の部分
１００…本体
１０１…ベース
１０２…基部
１０３…立壁部
１０４…ロータ配置部
１０５ａ〜１０５ｃ…第１から第３の通気部
１１０Ａ，１１０Ｂ…外装パネル
１１１Ａ，１１１Ｂ…補強パネル
１１２…吸込口
２００…除湿ロータ
２０１…吸湿材
２０２…枠部材
２０３…軸支部
２０４…外枠部
２０５…線条枠
２５０…ヒータ
２６０…ヒータケース
２６１…閉塞壁
２６２…導入部
２６３…空隙部
２７０…保持部材
３００…主熱交換器
３１０…パイプ
３２０…上部ヘッダ
３２１…ダクト部
３３０…下部ヘッダ
３３１…ダクト部
３５０…副熱交換器
３６０…パイプ
３７０…上部ヘッダ
３７１…流入口
３８０…下部ヘッダ
３８１…ダクト部
４００…処理空気ファン（第１ファン）
４０１…基板部
４０１ａ…膨出部
４０２…羽根
４０３…空隙部
４１０…ファンケース（第１ファンケース）
４１１…送出部
４２０…ケース本体
４２１…側壁部
４２２…内壁部
４２３…流入口
４２４…ネジ止め部
４２５…ネジ止め部
４３０…カバー
４３１…側壁部
４３２…外壁部
４３３…第１取付凹部
４３４…第１嵌合孔
４３４ａ…筒部
４３５…ネジ止め部
４３６…第１ネジ止め部（係着手段）
４３７…第２ネジ止め部（係着手段）
４５０…再生空気ファン（第２ファン）
４５１…基板部
４５１ａ…膨出部
４５２…羽根
４５３…空隙部
４６０…ファンケース（第２ファンケース）
４６１…第１ダクト部
４６２…第２ダクト部
４７０…ケース本体
４７１…側壁部
４７２…外壁部
４７３…開口部
４７４…第１ネジ止め部（係着手段）
４７５…第２ネジ止め部
４８０…カバー
４８１…側壁部
４８２…内壁部
４８３…第２取付凹部
４８４…第２嵌合孔
４８４ａ…筒部
４８５…ネジ止め部
４８６…ネジ止め部（係着手段）
４９０…両軸モータ
４９１…モータケース
４９２…回転軸
４９２ａ…第１部分
４９２ｂ…第２部分
４９３…空間
４９５…防振ゴム（緩衝部材）
４９６…被覆部
４９７…嵌合部
５００…ダクト部材
５０１…第１接続部
５０２…第２接続部
６００…ヘッド部
６４０…送風部
６４１…送風案内部
６４２…吹出口
６６０…ルーバー
６８０…規制部材
７００…貯水部
７２０…貯水タンク
【図１】
0006293695.tif 000002
【図２】
0006293695.tif 000003
【図３Ａ】
0006293695.tif 000004
【図３Ｂ】
0006293695.tif 000005
【図４】
0006293695.tif 000006
【図５】
0006293695.tif 000007
【図６Ａ】
0006293695.tif 000008
【図６Ｂ】
0006293695.tif 000009
【図７】
0006293695.tif 000010
【図８】
0006293695.tif 000011
【図９】
0006293695.tif 000012
【図１０Ａ】
0006293695.tif 000013
【図１０Ｂ】
0006293695.tif 000014